(57)【要約】【課題】患者の胸部を確実に覆い、救命処置を施す際の患者のプライバシーを確実に保護することが可能な救命処置用シートを提供する。【解決手段】患者Ｐに対して救命処置を施す際に、仰向けに横たわる患者Ｐの胸部を覆うように患者Ｐの胸部に掛けられる救命処置用シート１１であって、患者Ｐの胸部を覆う大きさのシート１３に胸骨圧迫すべき箇所が描かれ、患者Ｐの胸部にシート１３を覆った際に、患者Ｐの身長方向の寸法よりも患者の肩幅方向の寸法が大きい。【選択図】図１
2017192649.tif 000002
【特許請求の範囲】
【請求項１】
患者に対して救命処置を施す際に、仰向けに横たわる前記患者の胸部を覆うように前記患者の胸部に掛けられる救命処置用シートであって、
前記患者の胸部を覆う大きさのシートに胸骨圧迫すべき箇所が描かれ、
前記患者の胸部に前記シートを覆った際に、前記患者の身長方向の寸法よりも前記患者の肩幅方向の寸法が大きい、
救命処置用シート。
【請求項２】
前記シートは、前記患者の胸部に前記シートを覆った際に、前記患者の首に対応する部分に切り込み部を有する、
請求項１に記載の救命処置用シート。
【請求項３】
前記シートには、前記肩幅方向の左右両側から視認して把握可能な前記患者に対する処置内容が記載されている、
請求項１または請求項２に記載の救命処置用シート。
【請求項４】
前記シートが半透明である、
請求項１から請求項３のいずれか一項に記載の救命処置用シート。
【請求項５】
前記シートは、表面が防水面とされ、裏面が高摩擦面である、
請求項１から請求項４のいずれか一項に記載の救命処置用シート。
【請求項６】
前記シートには、前記患者に対する処置内容を表す説明図が記載されている、
請求項１から請求項５のいずれか一項に記載の救命処置用シート。
【請求項７】
前記シートは、前記患者の胸部に沿って屈曲させながら前記患者の胸部に被せた状態で前記患者の両側を覆う部分が余白として形成されている、
請求項１から請求項６のいずれか一項に記載の救命処置用シート。
【発明の詳細な説明】
【技術分野】
【０００１】
本発明は、患者に救命処置を施す際に用いられる救命処置用シートに関する。
【背景技術】
【０００２】
従来、心肺蘇生の手順などが表示されたシートがある（例えば、特許文献１参照）。このシートは、縦長に形成されており、心肺蘇生などの救命処置を施す際に、仰向けに横たわる患者の胸部を覆うように被せられる。このシートを用いれば、心肺蘇生法の知識や経験が乏しい人でも、倒れている患者の胸部に被せたシートの表示の手順に従うことで、心肺蘇生を実施することが可能である。
【先行技術文献】
【特許文献】
【０００３】
【特許文献１】特開２０１１−１０４３１０号公報
【発明の概要】
【発明が解決しようとする課題】
【０００４】
近年では、駅、空港あるいは商業施設などの公共の施設等にＡＥＤ（自動体外式除細動器）が設置されている。このＡＥＤを使用する場合、救命処置を要する患者の胸部を露出させ、２枚の電極パッドを患者の胸部の所定位置に貼り付ける必要がある。
【０００５】
ところで、ＡＥＤを使用するとき、プライバシーの保護の観点から、露出させた患者の胸部を隠したいという要求がある。この場合、特許文献１に記載の縦長のシートを患者の胸部に掛けたとしても、患者の胸部を完全に覆いきれず、シートの両側から体の一部が露出してしまい、患者のプライバシーが十分に保護されないという問題があった。
【０００６】
本発明は、患者の胸部を確実に覆い、救命処置を施す際の患者のプライバシーを確実に保護することが可能な救命処置用シートを提供することを目的とする。
【課題を解決するための手段】
【０００７】
本発明にかかる救命処置用シートは、
患者に対して救命処置を施す際に、仰向けに横たわる前記患者の胸部を覆うように前記患者の胸部に掛けられる救命処置用シートであって、
前記患者の胸部を覆う大きさのシートに胸骨圧迫すべき箇所が描かれ、
前記患者の胸部に前記シートを覆った際に、前記患者の身長方向の寸法よりも前記患者の肩幅方向の寸法が大きい。
【０００８】
この救命処置用シートによれば、仰向けに横たわった患者の上半身に掛けることで、患者の胸部の全体を覆うことができる。そのとき、シートは、患者の身長方向の寸法よりも患者の肩幅方向の寸法が大きいので、患者の腕を含んだ胸部の両側も確実に覆うことができる。これにより、救命処置を施す際の患者のプライバシーを確実に保護することができる。特に、患者が女性である場合に、女性のプライバシーを確実に保護しつつ救命処置を施すことができる。
【発明の効果】
【０００９】
本発明によれば、患者の胸部を確実に覆い、救命処置を施す際の患者のプライバシーを確実に保護することが可能な救命処置用シートを提供することができる。
【図面の簡単な説明】
【００１０】
【図１】本発明の一実施形態に係る救命処置用シートの平面図である。
【図２】救命処置用シートを患者の胸部に被せた状態を示す平面図である。
【図３】図２におけるＡ矢視図である。
【発明を実施するための形態】
【００１１】
以下、本発明に係る救命処置用シートの実施の形態の例を、図面を参照して説明する。
【００１２】
図１は、本発明の一実施形態に係る救命処置用シート１１の平面図である。
図１に示すように、本実施形態に係る救命処置用シート１１は、人体の胸部を模った図柄１２を有したシート１３からなる。図柄１２（胸部）には、緊急時に胸骨圧迫すべき箇所を使用者に案内するための図柄１２Ａ（手や目標点等）が重ねて描かれている。この救命処置用シート１１は、例えば、ＡＥＤ（自動体外式除細動器）のケース内に収容され、ＡＥＤの使用時に用いられる。
【００１３】
図２は、救命処置用シート１１を患者Ｐの胸部に被せた状態を示す平面図である。図３は、図２におけるＡ矢視図である。
図２及び図３に示すように、救命処置用シート１１は、患者Ｐに対して救命処置を施す際に、仰向けに横たわる患者Ｐの胸部を覆うように患者Ｐの胸部に掛けられる。
【００１４】
シート１３は、例えば、紙やシート状の合成樹脂からなるもので、平面視で長方形状に形成されている。シート１３は、図柄１２の胸部の上下方向に沿う縦方向の寸法Ｌ１よりも図柄１２の胸部の左右方向に沿う横方向の寸法Ｌ２が大きく形成されている。患者Ｐの胸部にシート１３を覆った際に、シート１３の縦方向の寸法Ｌ１は、患者Ｐの身長方向における寸法に相当し、本例では、患者Ｐの頭部Ｈの約半分の位置から腹部に達する長さに形成されている。また、患者Ｐの胸部にシート１３を覆った際に、シート１３の横方向の寸法Ｌ２は、患者Ｐの肩幅方向における寸法に相当し、本例では、患者Ｐの両側部から側方へ延在する位置に達する長さに形成されている。
【００１５】
また、シート１３は、図柄１２の胸部の首に対応する部分に切り込み部１５を有している。切り込み部１５は、円弧状に形成されており、この切り込み部１５に患者Ｐの顎部を入り込ませることが可能とされている。切り込み部１５は、患者Ｐの胸部にシート１３を覆った際に、患者Ｐの首に対応する部分に配置され得る。
【００１６】
シート１３には、患者Ｐに対する処置内容２１が記載されている。この処置内容２１は、患者Ｐに対する胸骨圧迫などの処置内容を表す説明図Ｄ１及び説明文Ｓである。この処置内容２１は、シート１３における図柄１２の胸部の左右両側から視認して把握可能な位置にそれぞれ記載されている。シート１３の処置内容２１は、患者Ｐの胸部にシート１３を覆った際に、患者Ｐの左右両側から視認して把握可能な位置にそれぞれ記載されている。これにより、患者Ｐに対して救命処置を施す救護者は、患者Ｐの左右のいずれからでも処置内容２１を視認して救命処置のやり方を把握することができる。また、この処置内容２１は、シート１３の左右の端の方に記載されている。
【００１７】
また、シート１３には、その中央にも、患者Ｐに対する処置内容２２が記載されている。この処置内容２２は、患者Ｐに対する胸骨圧迫位置及びその胸骨圧迫位置で胸骨圧迫する際の手の組み方などの処置内容を表す説明図Ｄ２である。
【００１８】
シート１３は、例えば、透明なシート材に着色したり、透明なシート材の表面を粗面化することで、半透明とされており、シート１３を介して患者Ｐの胸部に装着した電極パッドを視認できる程度の光透過性を有している。また、シート１３は、図柄１２や処置内容２１，２２が記載された表面が、防水材を塗布したり、防水加工を施すことで防水面として形成されている。また、シート１３は、患者Ｐと接触する裏面が、高摩擦材を塗布したり、粗面化することで高摩擦面として形成されている。また、シート１３は、中央の図柄１２及び処置内容２２と両端の処置内容２１との間が余白１３Ａとして形成されている。
【００１９】
次に、上記の救命処置用シート１１を使用する場合について説明する。
【００２０】
ＡＥＤのケースを開け、電極パッドを引き出すとともに、ケース内に収容されている救命処置用シート１１を取り出す。
【００２１】
次に、救命処置が必要な仰向けに横たわる患者Ｐの胸部を露出させ、胸部の所定位置に電極パッドを貼り付ける。
【００２２】
その後、救命処置用シート１１を広げ、図柄１２に合わせて患者Ｐの胸部に掛ける。このとき、シート１３の切り込み部１５を患者Ｐの首に合わせて患者Ｐに掛け、さらに、患者Ｐの胸部に沿って両側を屈曲させながら患者Ｐに被せる。これにより、患者Ｐは、露出された胸部の全体が救命処置用シート１１で覆われた状態となり、プライバシーが確保される。なお、救命処置用シート１１を患者Ｐの胸部に沿って屈曲させながら患者Ｐに被せることで、患者Ｐの左右両側を覆う部分に余白１３Ａが配置される。
【００２３】
患者Ｐの胸部に救命処置用シート１１を被せたら、救護者は、患者Ｐに対して胸骨圧迫などの処置を施す。このとき、救命処置用シート１１には、シート１３における図柄１２の胸部の左右両側から視認して把握可能な位置に処置内容２１を表す説明図Ｄ１及び説明文Ｓが記載されているので、救護者は、患者Ｐの左右のいずれからでも処置内容２１を視認することができる。そして、救護者は、処置内容２１によって処置の手順を把握するとともに、シート１３の中央に記載された処置内容２２に沿って、患者Ｐに対する胸骨圧迫位置及び胸骨圧迫する際の手の組み方を把握し、患者Ｐに対して救命処置を施す。
【００２４】
さらに、救護者は、ＡＥＤから流れる音声にしたがってＡＥＤを操作する。これにより、ＡＥＤによって患者Ｐの心電図が解析され、患者Ｐに対して必要に応じて電気ショックが行われる。
【００２５】
このように、上記実施形態に係る救命処置用シート１１によれば、シート１３が図柄１２の胸部の上下方向に沿う縦方向の寸法Ｌ１よりも図柄１２の胸部の左右方向に沿う横方向の寸法Ｌ２が大きく形成されているので、図柄１２に合わせて仰向けに横たわった患者Ｐに掛けることで、患者Ｐの胸部の全体を覆うことができる。そのとき、シート１３は、図柄１２の胸部の上下方向に沿う縦方向の寸法Ｌ１よりも図柄１２の胸部の左右方向に沿う横方向の寸法Ｌ２が大きく形成されているので、患者Ｐの腕Ａｒを含んだ胸部の両側も確実に覆うことができる。これにより、救命処置を施す際の患者Ｐのプライバシーを確実に保護することができる。特に、患者Ｐが女性である場合に、女性のプライバシーを確実に保護しつつ救命処置を施すことができる。
【００２６】
しかも、図柄１２の胸部の上下方向に沿う縦方向の寸法Ｌ１よりも図柄１２の胸部の左右方向に沿う横方向の寸法Ｌ２が大きくされた形状になっているので、患者Ｐに対して救命処置を施す緊急時にも、シート１３を迅速に広げて患者Ｐを覆うことができ、特に体の厚みが大きい人でも確実に覆うことができる。
【００２７】
また、シート１３は、人体の胸部を模った図柄１２の首に対応する部分に切り込み部１５を有する。したがって、シート１３の切り込み部１５を目印として患者Ｐの首に合わせることで、患者Ｐの胸部に位置決めして被せることができる。これにより、シート１３をずれなく患者Ｐの胸部に容易にかつ迅速に被せて患者Ｐの胸部を覆うことができる。
【００２８】
しかも、シート１３には、患者Ｐに対する処置内容２１が記載されている。したがって、この処置内容２１の記載を視認して把握することで、患者Ｐに対する胸骨圧迫などの処置を施すことができる。また、処置内容２１の記載が患者Ｐの左右両側から視認して把握可能であるので、患者Ｐの左右のどちらからでも患者Ｐに対する処置を把握して施すことができる。特に、胸骨圧迫は救護者が一人で長時間実施するのは体力的にかなりの負担であり、交代して行われることが多い。左右両側から視認できることで、救護者は入れ替わることなく交互に胸骨圧迫を実施できる。
【００２９】
例えば、この処置内容２１がシート１３の中央寄りに記載されていると、患者Ｐに被せた際に患者Ｐの厚み部分に配置されて上方から視認しづらくなる。しかし、この処置内容２１は、シート１３の左右の端の方に記載されているので、この処置内容２１が患者Ｐの厚み部分に配置されず、したがって、シート１３を患者Ｐに被せた状態でも、上方から容易に視認できる。
【００３０】
また、説明文Ｓおよび説明図Ｄ１は、図２および図３の符号２１の位置（シート１３の左右の端）に配置されている。このため、救護者が処置内容２２を行う際、救護者は説明文Ｓおよび説明図Ｄ１を確認しようとして、救護者が患者Ｐの上に身を乗り出す姿勢になることが誘導され得る。この結果、救護者が、胸骨圧迫のための正しい姿勢に自然となることが期待できる。
【００３１】
また、シート１３は、半透明であるので、患者Ｐの胸部をシート１３で覆った状態で、シート１３の上から患者Ｐの胸部に装着した電極パッド等の救命処置用具を視認して装着位置を確認することができる。
【００３２】
しかも、シート１３は、表面が防水面であるので、屋外で使用する場合であっても、シート１３の表面の防水面で雨水などの水によって電極パッド等の救命処置用具が装着された患者Ｐが濡れるのを防ぐことができる。また、シート１３は、裏面が高摩擦面であるので、患者Ｐの胸部に被せた状態での位置ずれを防止することができる。
【００３３】
また、シート１３には、説明図Ｄ２からなる処置内容２２が記載されているので、説明図Ｄ２を視認することで、患者Ｐに対する処置を容易に把握することができる。これにより、使用言語の違いなどに影響されることなく、患者Ｐに対して誰でも適切な処置を施すことができる。
【００３４】
ここで、シート１３を患者Ｐの胸部に沿って屈曲させながら患者の胸部に被せると、シート１３の患者Ｐの両側を覆う部分は上方から視認することが難しくなる。このため、この上方からの視認が難しい部分を余白１３Ａとすることで、余白部分以外の部分に記された処置内容２１，２２を上方から容易に視認して把握することができる。特に患者Ｐの胸板が厚い場合でも、余白１３Ａを設けることで救護者は確実に説明図Ｄ１及び説明文Ｓを視認できる。
【００３５】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００３６】
１１：救命処置用シート、１２：図柄、１３：シート、１５：切り込み部、２１，２２：処置内容、Ｄ１，Ｄ２：説明図、Ｌ１：縦方向の寸法、Ｌ２：横方向の寸法、Ｐ：患者
【図１】
2017192649.tif 000003
【図２】
2017192649.tif 000004
【図３】
2017192649.tif 000005